(57)【要約】      （修正有）【課題】商用のＡＣ電源に代えて、電源車から施設内の電力負荷にＡＣ電力を簡単かつ速やかに供給可能にする。【解決手段】電力負荷１９〜２２、２７〜３０に繋がる外部電力供給用配電線３１、３２および外部電力供給用接続盤Ｅ１、Ｅ２を施設Ｄに設置し、商用電力の停電等に外部電力供給用接続盤Ｅ１、Ｅ２および外部電力供給用配電線３１、３２を通じて電源車Ｆ１、Ｆ２から電力負荷１９〜２２、２７〜３０にＡＣ１００ＶまたはＡＣ２００Ｖの外部電力を供給する。【選択図】図２
2016046857.tif 000002
【特許請求の範囲】
【請求項１】
電力会社が供給する高電圧の電力を、この電力を利用する施設に設置されたキュービク
ル式受変電盤で低圧の商用電力に降圧し、この降圧した商用電力を施設内の低圧側にある
複数の電力負荷に分岐供給する施設の受電システムであって、前記電力負荷に繋がる外部
電力供給用配電線および外部電力供給用接続盤を前記施設に設置し、前記商用電力の停電
等の有事に前記外部電力供給用接続盤および外部電力供給用配電線を通じて電源車から前
記電力負荷に外部電力を供給可能にすることを特徴とする施設の受電システム。
【請求項２】
前記商用電力および前記電源車からの外部電力のうちいずれかを前記電力負荷に供給す
る供給電力機構を有することを特徴とする請求項１記載の施設の受援システム。
【請求項３】
前記供給電力機構が前記商用電力および前記電源車からの外部電力のうちいずれかを前
記電力負荷に選択的に切換入力する供給電力選択スイッチであることを特徴とする請求項
２記載の施設の受援システム。
【請求項４】
前記供給電力選択スイッチには、前記商用電力または前記電源車からの外部電力を複数
の電力負荷のいずれかに選択的に切換供給する配線用遮断器が接続されていることを特徴
とする請求項３記載の施設の受電システム。
【請求項５】
前記外部電力供給用接続盤には、前記電源車から電力負荷への外部電力の供給および遮
断を切り換える開閉器が設けられていることを特徴とする請求項１記載の施設の受電シス
テム。
【請求項６】
前記外部電力供給用接続盤および外部電力供給用配電線がＡＣ１００Ｖの電力負荷およ
びＡＣ２００Ｖの電力負荷ごとに設けられていることを特徴とする請求項１記載の施設の
受援システム。
【発明の詳細な説明】
【技術分野】
【０００１】
本発明は、医療や公共の施設等で使用される電力負荷が、災害等の有事に商用電源に代
えて電源車から電力を受電可能にする施設の受電システムに関する。
【背景技術】
【０００２】
電源車は、車両に搭載した発電機の発生電力を何時でも何処でも供給可能にする車両で
あり、例えば、野外での映画撮影、テレビ中継、コンサート、各種イベントにおける会場
の電力負荷に電力を供給するために、或は医療施設や公共施設の電力系統がダウンした場
合など非常時の補助電力供給のために用いられる（例えば、特許文献１参照）。かかる電
源車には、発電機を駆動するガソリンエンジンやディーゼルエンジン、このエンジンにガ
ソリンや軽油などの燃料を供給する燃料タンク、発電電力を設定値に制御するための電気
的または機械的な各種の制御設備が搭載されている。
【０００３】
そして、かかる電源車は、必要に応じて或は災害などの有事の際に、電力会社が提供す
る商用電力がダウンした現地の施設に速やかに赴き、その施設側に設置されたキュービク
ル式受変電盤（以下、キュービクルという）を通して、電源車に搭載の発電機が発生する
ＡＣ電力を施設内の複数の電力負荷に供給する。つまり、電源車から供給されるＡＣ電力
を、停電などによって電力供給がストップした商用電源に代わって、その施設の電力負荷
に供給し、その施設の運用を引き続き継続することができる。
【先行技術文献】
【特許文献】
【０００４】
【特許文献１】特開平０９-２１５２６２号公報
【発明の概要】
【発明が解決しようとする課題】
【０００５】
しかしながら、かかる従来の電源車からの電力供給方法では、例えば、災害発生時等に
、施設のキュービクル内の各相や各線（単相３線式や３相３線式）の商用電源引込線の１
本１本に対し電源車の発電機に接続された電力出力用の各接続ケーブルを繋ぎ替える必要
がある。また、商用電源が回復した場合には、その商用電源引込線から接続ケーブルを１
本１本分離する必要がある。従って、商用電源引込線に接続ケーブルを繋いだり分離した
りする作業が煩雑で非効率であり、結果として電力負荷に対する電源車からの電力供給を
速やかに行えないという不都合があった。
【０００６】
本発明は前述のような従来の問題点を解消するものであり、その目的とするところは、
施設に予め設置した外部電力供給用接続盤に電源車の発電機に接続された電力ケーブルを
繋ぐだけで、商用電源に代えて、電源車の発電機からのＡＣ電力を前記電力負荷に簡単か
つ速やかに供給可能にする施設の受電システムを提供することにある。
【課題を解決するための手段】
【０００７】
前記目的達成のために、本発明にかかる施設の受電システムは、電力会社が供給する高
電圧の電力を、この電力を利用する施設に設置されたキュービクル式受変電盤で低圧の商
用電力に降圧し、この降圧した商用電力を施設内の低圧側にある複数の電力負荷に分岐供
給する施設の受電システムであって、前記電力負荷に繋がる外部電力供給用配電線および
外部電力供給用接続盤を前記施設に設置し、前記商用電力の停電時等の有事に前記外部電
力供給用接続盤および外部電力供給用配電線を通じて電源車から前記電力負荷に外部電力
を供給可能にすることを特徴とする。
【０００８】
この構成により、緊急時や災害発生などの有事に、電力会社から施設に供給されていた
商用電力が停止（停電）した場合に、電源車を施設に走らせて、その施設に設置された外
部電力供給用接続盤および外部電力供給用配電線を通じてその電源車からＡＣ１００Ｖや
ＡＣ２００Ｖの前記商用電力を前記電力負荷に可及的速やかに供給することができる。つ
まり、電源車を、施設内の電力負荷を引き続き正常に機能させるためのバックアップ電源
装置として利用することで、施設内で必須となる諸設備の運用を安全かつ継続的に実現で
きる。
【０００９】
また、本発明にかかる施設の受電システムは、前記商用電力および前記電源車からの外
部電力のうちいずれかを前記電力負荷に供給する供給電力機構を有することを特徴とする
。
【００１０】
また、本発明にかかる施設の受電システムは、前記商用電力および電源車からの外部電
力のうちいずれかを前記電力負荷に選択的に切換入力する供給電力選択スイッチを有する
ことを特徴とする。
【００１１】
この構成により、商用電源の回路と外部電力供給回路とが混触する危険を未然に回避で
きる。
【００１２】
また、本発明にかかる施設の受電システムは、前記供給電力選択スイッチに、前記商用
電力または電源車からの外部電力を複数の電力負荷のいずれかに選択的に切換供給する配
線用遮断器が接続されていることを特徴とする。
【００１３】
この構成により、商用電力の停電の際に電源車の電力容量に応じて、前記電力負荷のう
ち必須となる特定の電力負荷にのみ長時間に亘って優先的に電力供給することができる。
【００１４】
また、本発明にかかる施設の受電システムは、前記外部電力供給用接続盤に、前記電源
車から電力負荷への外部電力の供給および遮断を切り換える開閉器が設けられていること
を特徴とする。
【００１５】
この構成により、ＡＣ電力の停電事故が回復するのと同時に開閉器を開いて、電源車と
外部電力供給用接続盤との接続ケーブルを介しての電気的な回路接続を速やかに解除する
ことができる。
【００１６】
また、本発明にかかる施設の受電システムは、前記外部電力供給用接続盤および外部電
力供給用配電線がＡＣ１００Ｖの電力負荷およびＡＣ２００Ｖの電力負荷ごとに設けられ
ていることを特徴とする。
【００１７】
この構成により、電源車からＡＣ１００ＶおよびＡＣ２００Ｖの各電力負荷に対し、電
圧規格値が異なるＡＣ１００ＶおよびＡＣ２００ＶのＡＣ電力を接続ミスなく供給するこ
とができる。
【発明の効果】
【００１８】
本発明によれば、施設に設置された外部電力供給用接続盤に対し電源車の発電機に接続
された接続ケーブルを繋ぐことで、商用のＡＣ電源に代えて、電源車から施設内の低圧側
にある電力負荷にＡＣ電力を簡単かつ速やかに供給することができる。
【００１９】
以上、本発明について簡潔に説明した。更に、以下に本発明を実施するための最良の形
態を添付の図面を参照して、詳細に説明する。
【図面の簡単な説明】
【００２０】
【図１】本発明の実施形態に係る施設の受電システムを示す概念図である。
【図２】図１における受電システムの具体例を示すブロック接続図である。
【発明を実施するための形態】
【００２１】
以下、本発明の実施の形態にかかる施設の受電システムを、図１および図２を参照して
説明する。
【００２２】
図１は本実施の形態にかかる受電システムの全体を概念的に示す。同図において、この
施設の受電システムは、電力会社Ａが供給する商用電力の（例えば、ＡＣ６６００Ｖ）を
、この商用電力を利用する施設Ｄに設置されたキュービクル式受変電盤（以下、キュービ
クルと略称する）ＢでＡＣ１００ＶまたはＡＣ２００Ｖに降圧し、この降圧した商用電力
を電力負荷Ｃに供給するという基本構成を有する。特に、本実施形態の受電システムでは
、外部電力供給用接続盤ＥをキュービクルＢおよび電力負荷Ｃを設置する前記施設Ｄ付近
、例えば施設Ｄの外壁等に設置している。
【００２３】
電力会社Ａは、図２に示すように、３相３線式でＡＣ６６００Ｖの高電圧を気中開閉器
１１を通して施設Ｄ内の前記キュービクルＢに供給している。キュービクルＢでは気中開
閉器１１からの高電圧のＡＣ電力を、真空遮断器１２を介して２系統のトランス１３、１
４に分岐供給している。これらのトランス１３、１４のうち、トランス１３は単相３線式
で１次側のＡＣ６６００ＶをＡＣ１００Ｖの低電圧に変換して２次側（低圧側）に出力し
、トランス１４は３相３線式で１次側のＡＣ６６００ＶをＡＣ２００Ｖの低電圧に変換し
て２次側（低圧側）に出力する。周知のように、ＡＣ１００Ｖは一般家庭の電灯負荷等に
利用され、ＡＣ２００Ｖはモータなどの動力負荷に利用される。
【００２４】
トランス１３の２次側（低圧側）には、商用電力および電源車からの外部電力のうちい
ずれかを電力負荷に選択的に供給する供給電力機構である供給電力選択スイッチＳ１の固
定接点ｂおよび可動接触子ａと、複数の配線用遮断器１５〜１８とを順次介して、電力負
荷Ｃの一部である、施設Ｄの１階および２階に設置された電灯１９、２０、コンピュータ
２１および事務室２２内の各種事務機等が接続されている。一方、トランス１４の２次側
（低圧側）には、商用電力および電源車からの外部電力のうちいずれかを電力負荷に選択
的に供給する供給電力機構である供給電力選択スイッチＳ２の固定接点ｂおよび可動接触
子ａと、複数の配線用遮断器２３〜２６とを順次介して、電力負荷Ｃの一部であるエレベ
ータ２７、厨房２８の冷蔵庫等、融雪器２９およびボイラー３０が接続されている。ここ
では前述の電力負荷Ｃとして電灯１９、２０、コンピュータ２１、エレベータ２７、融雪
器２９、ボイラー３０などを例示したが、医療施設、公共施設などの施設の種類に応じた
各種の電力負荷とすることは任意である。また、上記供給電力スイッチは図２に記載する
ように複数の電力負荷に共通するものでなくてもよく、各電力負荷の配線用遮断器の位置
に設けてもよい。なお、前記供給電力機構としては、前記供給電力供給スイッチに限らず
、商用電力と電源車からの外部電力を同時に供給させないものであればよく、例えば、イ
ンタロック回路や、シーケンス制御によってよい。
【００２５】
また、外部電力供給用接続盤Ｅは、図１に示すように施設Ｄの外壁などに設置されるが
、通常は図２に示すように、ＡＣ１００Ｖ用に規格化された外部接続盤Ｅ１と、ＡＣ２０
０Ｖ用に規格化された外部接続盤Ｅ２の２種類が前記施設Ｄの外壁に設置される。これら
の外部接続盤Ｅ１、Ｅ２のうち、外部接続盤Ｅ１は開閉器３４を有し、この開閉器３４は
施設Ｄ内の電灯１９、２０、コンピュータ２１および事務室２２内の事務機器等に、外部
電力供給用配電線３１、供給電力選択スイッチＳ１の固定接点ｃおよび前記配線用遮断器
１５〜１８を介して接続されている。また、外部接続盤Ｅ２は開閉器３５を有し、この開
閉器３５は施設Ｄ内のエレベータ２７、厨房２８における冷蔵庫等、融雪器２９およびボ
イラー３０に、外部電力供給用配電線３２、供給電力選択スイッチＳ２の固定接点ｃおよ
び配線用遮断器２３〜２６を介して接続されている。
【００２６】
前記電力負荷Ｃのうち前記電灯２０、コンピュータ２１および厨房２８における冷蔵庫
等は、有事に発生した商用電源のダウン時等においても、特にこの施設Ｄにおいて電力の
確保を必要とするものである。このため、後述の電源車Ｆ１、Ｆ２の電力容量の限度内で
、つまり電力容量の大きさに応じて、例えば、この電力容量が小さい場合には、電灯１９
および事務室２２、エレベータ２７、融雪器２９、ボイラー３０への電力供給を遮断して
、電灯２０、コンピュータ２１と厨房２８への電源を長時間確実に確保するように、配線
用遮断器１５、１８、２３、２５、２６を開放（オフ）操作する。一方、その電源車Ｆ１
の電力容量が十分に大きい場合には、電灯１９および事務室２２の事務機やエレベータ２
７、融雪器２９、ボイラー３０に対する電力供給を可能にすべく、配線用遮断器１５、１
８、２３、２５、２６を配線用遮断器１６、１７、２４とともに閉止（オン）状態に維持
する。
【００２７】
電源車Ｆは、要請があれば、何時でも何処へでも出走して、前述のようなＡＣ電力を必
要とする医療施設や公共施設等の電力負荷Ｃに、接続ケーブル３３を通じて供給するもの
である。図２では２台の電源車Ｆ１、Ｆ２がそれぞれ接続ケーブル３３ａ、３３ｂを用い
て外部電力供給用接続盤Ｅ１、Ｅ２にＡＣ１００ＶおよびＡＣ２００Ｖの電力を供給する
場合を示している。また、外部電力供給用接続盤Ｅ１、Ｅ２は各電源車Ｆ１、Ｆ２から供
給されるＡＣ電力を供給電力選択スイッチＳ１、Ｓ２を介して施設Ｄ内の電灯２０、コン
ピュータ２１、厨房２８の冷蔵庫等に供給する際に、手動または自動で閉じられる遮断器
３４、３５を有する。なお、接続ケーブルとしては、５０ｍや１００ｍ等の長さで切れ目
のない一体物のケーブルを使用してもよいが、５ｍ、１０ｍ、２０ｍといったケーブルを
いわゆるカムロックコネクタ（オスプラグとメスプラグを嵌合させる）を用いて接続する
のが望ましい。具体的には、オスプラグを一端に、メスプラグを他端にそれぞれ備えたケ
ーブルを複数本用意し、接続しょうとする一方のケーブルのオスプラグを他方のケーブル
のメスプラグに嵌合することにより、ケーブルの全長を必要とする長さに調整することが
できる。また一つ一つのケーブルの長さが短く軽量なので運搬も容易でき、ケーブルの敷
設・撤去も作業員が一名でスムーズに行うことができる。
【００２８】
またカムロックコネクタを使用すれば、ケーブルを任意の箇所で切り離しができるので
、一体物のケーブルに比べ、施設の施錠等に有利である。
【００２９】
また、接続ケーブルとしては、一般的な電線よりもやわらかい（例えば、多芯タイプの
ケーブル）を使用するのが望ましい。これにより、ケーブルを窓やドアを通さなければな
らない場合も容易に敷設を行うことができる。
【００３０】
次にかかる構成になる施設Ｄの受電システムの動作を説明する。
【００３１】
先ず、電力会社Ａの電力供給系統が電力を供給している平常時には、前述のＡＣ６６０
０Ｖの高電圧の電力が気中開閉器１１および施設Ｄ内に設置されたキュービクルＢ内の真
空遮断器１２を介してトランス１３、１４に供給される。これらのトランス１３、１４で
はＡＣ６６００Ｖの電圧を商用のＡＣ１００ＶおよびＡＣ２００Ｖに変換する。平常時は
供給電力選択スイッチＳ１、Ｓ２がそれぞれの固定接点ｂおよび可動接触子ａと、前記配
線用遮断器１５〜１８、２３〜２６のそれぞれを介して、すべての電力負荷Ｃである電灯
１９、２０、コンピュータ２１、事務室２２の事務機、エレベータ２７、厨房２８の冷蔵
庫等、融雪器２９、ボイラー３０に供給され、これらは過不足なく電力の供給を受けて、
所期の機能を果たす。
【００３２】
一方、地震などの災害発生時において、倒木などにより電力会社Ａの電力ケーブルが切
断したり地絡事故が発生した場合には、施設Ｄ内の電力負荷ＣへのＡＣ電力の供給が停止
されることがある。このようにＡＣ電力の供給が停止された場合には、施設Ｄ側から電源
車Ｆ１、Ｆ２の配車要請をする。この配車要請に応じて施設Ｄに電源車Ｆ１、Ｆ２が到着
すると、作業者は電源車Ｆ１、Ｆ２と外部電力供給用接続盤Ｅ１、Ｅ２とを接続ケーブル
３３ａ、３３ｂを用いて接続する。また、施設Ｄ側の供給電力選択スイッチＳ１、Ｓ２を
手動操作し、これらの可動接触子ａを固定接点ｃに切換接続するとともに、電源車Ｆ１、
Ｆ２の電力容量に応じて、例えば前記配線用遮断器１５、１８、２３、２５、２６を自動
または手動で開放する。かかる供給電力選択スイッチＳ１、Ｓ２の切換接続によって、商
用電源回路のトランス１３、１４から配線用遮断器１５〜１８、２３〜２６が完全に電気
的に分離される。なお、外部電力供給用接続盤Ｅ１、Ｅ２にはカムロックコネクタのオス
プラグまたはメスプラグが設けられていることが望ましい。この場合に接続ケーブル３３
ａ、３３ｂとしてカムロックコネクタを有するケーブルを用いれば、接続ケーブル３３ａ
、３３ｂを工具なしで容易にかつ迅速に外部電力供給用接続盤Ｅ１、Ｅ２に接続させるこ
とできる。この結果、有事の際にも施設への迅速な給電が可能となる。
【００３３】
続いて、各電源車Ｆ１、Ｆ２の発電機を起動し、開閉器３４、３５を手動操作で閉じる
。このため、これらの発電機が発生するＡＣ１００ＶおよびＡＣ２００Ｖの電力が各供給
電力選択スイッチＳ１、Ｓ２および配線用遮断器１６、１７、２４を介して電力負荷Ｃの
うちの電灯２０、コンピュータ２１および厨房２８の冷蔵庫等へそれぞれ供給される。こ
れにより、この施設Ｄで必要最小限となる電灯１８、コンピュータ２０および厨房２６の
冷蔵庫等の運用が可能になる。
【００３４】
一方、商用電源が回復した場合には、供給電力選択スイッチＳ１、Ｓ２を手動操作して
、可動接触子ａを固定接点ｂに切換接続する。さらに遮断器３４、３５を開放した上で、
電源車Ｆ１、Ｆ２と外部接続盤Ｅ１、Ｅ２との接続を解除する。また、かかる供給電力選
択スイッチＳ１、Ｓ２の切換接続に前後して、施設Ｄ内の前記配線用遮断器１５、１８、
２３、２５、２６のそれぞれを閉じる。これにより前記電灯１７やボイラー３０等を含む
全ての電力負荷Ｃに商用のＡＣ１００ＶおよびＡＣ２００Ｖの電力を商用電源側から供給
することができる。
【００３５】
以上のように、本実施形態によれば、電力会社が供給する高電圧の電力を、この電力を
利用する施設Ｄに設置されたキュービクル式受変電盤ＥでＡＣ１００ＶまたはＡＣ２００
Ｖの商用電力に降圧し、この降圧した商用電力を施設Ｄ内の複数の電力負荷１９〜２２、
２７〜３０に分岐供給する施設の受電システムにおいて、前記電力負荷１９〜２２、２７
〜３０に繋がる外部電力供給用配電線３１、３２および外部電力供給用接続盤Ｅ１、Ｅ２
を前記施設Ｄに設置し、前記商用電力の停電時に前記外部電力供給用接続盤Ｅ１、Ｅ２お
よび外部電力供給用配電線３１、３２を通じて電源車Ｆ１、Ｆ２から前記電力負荷１９〜
２２、２７〜３０に対しＡＣ１００ＶまたはＡＣ２００Ｖの外部電力を供給可能としてい
る。
【００３６】
これにより、緊急時や災害発生などの有事に、電力会社Ａから施設Ｄに供給されていた
商用のＡＣ電力が停止（停電）した場合に、電源車Ｆ１、Ｆ２を施設Ｄに走らせることで
、その施設Ｄに設置された外部電力供給用接続盤Ｅ１、Ｅ２を通じて電源車Ｆ１、Ｆ２か
ら電力負荷１９〜２２、２７〜３０にＡＣ電力を可及的速やかに供給することができる。
【００３７】
この場合において、前記電力負荷１９〜２２、２７〜３０に商用電力および電源車Ｆ１
、Ｆ２からの外部電力のいずれかを選択的に切換入力する供給電力選択スイッチＳ１、Ｓ
２を設けることで、商用電源回路と外部電力供給回路とが混触する危険を未然に回避でき
る。すなわち、商用電源の電力が電源車Ｆ1、Ｆ２側の外部電力供給用接続盤Ｅ１、Ｅ２
に印加されたり、電源車Ｆ１、Ｆ２側の外部電力がトランス１３、１４で昇圧されて商用
電源側に波及する危険を未然に回避することができる。
【００３８】
さらに、供給電力選択スイッチＳ１、Ｓ２には、前記商用電力または前記外部電力を複
数の電力負荷電力負荷１９〜２２、２７〜３０に選択的に供給する配線用遮断器１５〜１
８、２３〜２６が接続されている。このため、商用電力の停電の際に電源車Ｆ１、Ｆ２の
電力容量に応じて、これらの配線用遮断器１５〜１８、２３〜２６のいずれかを選択的に
開放操作することで、電力負荷１９〜２２、２７〜３０のうち必須となる特定の電力負荷
にのみに、長時間に亘って安定的に電力供給することができる。
【００３９】
また、外部電力供給用接続盤Ｅ１、Ｅ２に、電源車Ｆ１、Ｆ２から電力負荷１９〜２２
、２７〜３０へのＡＣ１００ＶまたはＡＣ２００Ｖの外部電力の供給および遮断を切り換
える開閉器３４、３５を設けている。これにより、前述のようなＡＣ電力の停電事故が回
復するのと同時に開閉器３４、３５を開いて、電源車Ｆ１、Ｆ２と外部電力供給用接続盤
Ｅ１、Ｅ２との接続ケーブル３３ａ、３３ｂを介しての電気的な回路接続を速やかに解除
することができる。
【００４０】
なお、前記外部電力供給用接続盤と外部電力供給用配電線は、必ずしもＡＣ１００Ｖ、
ＡＣ２００Ｖの電力負荷ごとに設ける必要はない。一つの外部電力供給用接続盤と外部電
力供給用配電線を用いてＡＣ１００ＶおよびＡＣ２００Ｖの外部電力を電力負荷Ｃに供給
してもよい。この場合、電源車は１台でもよい。
【００４１】
なお、前記外部電力供給用接続盤と外部電力供給用配電線は、必ずしもＡＣ１００Ｖ、
ＡＣ２００Ｖのすべての電力負荷に接続される必要はなく、施設内の任意の電力負荷に対
してのみ接続できる。
【産業上の利用可能性】
【００４２】
なお、本受電システムは、これから新たに建設する病院や老人ホーム等の施設だけでな
く、既存の施設においても利用することが可能である。既存の施設で利用する場合には、
前記外部電力供給用配電線、前記外部電力供給用接続盤や前記供給電力選択スイッチを既
存の施設に設置すればよい。
【００４３】
本発明の施設の受電システムは施設に予め設置された外部電力供給用接続盤に電源車の
発電機に接続された接続ケーブルを繋ぐだけで、商用電源に代えて、電源車の発電機から
前記電力負荷にＡＣ電力を簡単かつ速やかに供給できるという効果を有し、医療や公共の
施設等で使用される電力負荷が、災害等の有事に商用電源に代えて電源車から電力を受電
可能にする施設の受電システム等に有用である。
【符号の説明】
【００４４】
Ａ  電力会社
Ｂ  キュービクル（キュービクル式受変電盤）
Ｃ  電力負荷
Ｄ  施設
Ｅ、Ｅ１、Ｅ２  外部電力供給用接続盤
Ｆ、Ｆ１、Ｆ２  電源車
Ｓ１、Ｓ２  供給電力選択スイッチ
１１  気中開閉器
１２  真空遮断器
１３、１４  変圧器
１５〜１８、２３〜２６  配線用遮断器
１９、２０  電灯（電力負荷）
２１  コンピュータ（電力負荷）
２２  事務室（電力負荷）
２７  エレベータ（電力負荷）
２８  厨房（電力負荷）
２９  融雪器（電力負荷）
３０  ボイラー（電力負荷）
３１、３２  外部電力供給用配電線
３３、３３ａ、３３ｂ  接続ケーブル
３４、３５  開閉器
【図１】
2016046857.tif 000003
【図２】
2016046857.tif 000004